(57)【要約】【課題】サイズや画像を形成する部位が異なる媒体を保持部材に適切にセットできるようにする。【解決手段】被捺染物１１に画像を形成する記録ヘッド２と、被捺染物１１を保持して回転する保持ドラム５を有し、保持ドラム５の周面には、矩形状に配置された複数の発光体２０１によって構成され、被捺染物１１をセットするときの目安となる目安領域２０を示すマーク手段２００が設けられ、マーク手段２００が点灯されることで被捺染物１１の保持ドラム５上における画像形成領域に対する概略位置を認識できる。【選択図】図１１
2016107474.tif 000002
【特許請求の範囲】
【請求項１】
媒体に画像を形成する画像形成手段と、
セットされる前記媒体を保持する保持部材と、を備え、
前記保持部材には、前記媒体をセットするときのセット位置の目安となる目安領域を示すマーク手段を有し、
前記マーク手段は光を発する発光部である
ことを特徴とする画像形成装置。
【請求項２】
前記発光部は、前記保持部材に設けられた発光体を有している
ことを特徴とする請求項１に記載の画像形成装置。
【請求項３】
前記発光部は、
前記保持部材に設けられた開口と、
前記開口に入射する光を発生する発光手段と、を有する
ことを特徴とする請求項１に記載の画像形成装置。
【請求項４】
前記保持部材の前記媒体をセットする面側には、前記開口を塞ぐ光を透過可能な部材が設けられている
ことを特徴とする請求項３に記載の画像形成装置。
【請求項５】
前記マーク手段は、前記目安領域の中心を示す中心マーク手段を含む
ことを特徴とする請求項１ないし４のいずれかに記載の画像形成装置。
【請求項６】
異なる大きさの複数の前記目安領域を示す複数のマーク手段を有している
ことを特徴とする請求項１ないし５のいずれかに記載の画像形成装置。
【請求項７】
前記保持部材は、回転体である
ことを特徴とする請求項１ないし６のいずれかに記載の画像形成装置。
【請求項８】
媒体に画像を形成する画像形成手段と、
セットされる前記媒体を保持する保持部材と、を備え、
前記保持部材には、光を発する複数の発光部を有し、
前記複数の発光部の内の所要の発光部を発光させて、前記媒体をセットするときのセット位置の目安となる目安領域を示す制御をする制御手段を備えている
ことを特徴とする画像形成装置。
【発明の詳細な説明】
【技術分野】
【０００１】
本発明は画像形成装置に関する。
【背景技術】
【０００２】
画像形成装置として、保持部材に保持された被捺染物（媒体）に対して画像を形成（捺染）する捺染装置が知られている。
【０００３】
例えば、被捺染材を載置する載置台と、載置台に載置された被捺染材の捺染側の面に向けてインクを吐出して所望の捺染を実行する捺染ヘッドを備えた捺染実行部と、捺染実行部による捺染実行に先立って被捺染材に対して前処理を実行する前処理部とを備え、前処理部は、被捺染材の捺染側の面に対して熱を加える熱供給手段と、被捺染材の捺染側の面を押圧するローラとを備え、ローラと載置台との相対的な移動により、載置台上の被捺染材がローラにより押圧される構成としたものが知られている（特許文献１）。
【先行技術文献】
【特許文献】
【０００４】
【特許文献１】特開２０１３−１９０８３号公報
【発明の概要】
【発明が解決しようとする課題】
【０００５】
上述したような画像形成装置において、例えばシャツなどの個別に裁断された布地を媒体として使用する場合、シャツのサイズや画像形成位置、例えば襟口、胸元ワンポイント、腹部プリントなどに応じて、画像を形成する部位が異なる。
【０００６】
そこで、媒体の所望の部位に画像が形成されるように、媒体を保持する載置台などの保持部材に媒体をセットしなければならない。
【０００７】
本発明は上記の課題に鑑みてなされたものであり、保持部材への媒体のセットが容易になるようにすることを目的とする。
【課題を解決するための手段】
【０００８】
上記の課題を解決するため、本発明に係る画像形成装置は、
媒体に画像を形成する画像形成手段と、
セットされる前記媒体を保持する保持部材と、を備え、
前記保持部材には、前記媒体をセットするときのセット位置の目安となる目安領域を示すマーク手段を有し、
前記マーク手段は光を発する発光部である
構成とした。
【発明の効果】
【０００９】
本発明によれば、保持部材への媒体のセットが容易になる。
【図面の簡単な説明】
【００１０】
【図１】本発明に係る画像形成装置の一例の斜視説明図である。
【図２】同じく側面説明図である。
【図３】保持手段による被捺染物の保持構造の説明に供する斜視説明図である。
【図４】同じく分解斜視説明図である。
【図５】同じく保持手段の側面説明図である。
【図６】同装置の媒体保持手順の説明に供する側面説明図である。
【図７】同じく側面説明図である。
【図８】同じく側面説明図である。
【図９】同じく側面説明図である。
【図１０】同じく側面説明図である。
【図１１】本発明の第１実施形態の説明に供する説明図である。
【図１２】同じく斜視説明図である。
【図１３】同実施形態の作用説明に供する斜視説明図である。
【図１４】本発明の第２実施形態の説明に供する説明図である。
【図１５】同実施形態の作用説明に供する説明図である。
【図１６】印刷画像データや印刷を指示する装置の画面表示の一例の説明に供する説明図である。
【図１７】本発明の第３実施形態の説明に供する説明図である。
【図１８】同実施形態の制御部の説明に供するブロック説明図である。
【図１９】同制御部の説明に供するテーブルの説明図である。
【図２０】本発明の第４実施形態の説明図である。
【図２１】同実施形態の制御部の説明に供するブロック説明図である。
【図２２】同実施形態の作用説明に供する説明図である。
【図２３】本発明の第５実施形態の説明に供する説明図である。
【図２４】同じく媒体をセットしたときの要部説明図である。
【図２５】本発明の第６実施形態におけるマーク手段の説明に供する説明図である。
【図２６】本発明の第７実施形態におけるマーク手段の説明に供する説明図である。
【図２７】本発明の第８実施形態におけるマーク手段の説明に供する説明図である。
【発明を実施するための形態】
【００１１】
以下、本発明の実施の形態について添付図面を参照して説明する。本発明に係る画像形成装置の一例について図１及び図２を参照して説明する。図１は同装置の斜視説明図、図２は同じく側面説明図である。
【００１２】
この画像形成装置は、インクジェット捺染装置であり、画像形成手段として、液滴を吐出する液体吐出ヘッドで構成した記録ヘッド２を搭載したキャリッジ４を備えている。キャリッジ４は、ガイド部材３によって主走査方向（矢印Ａ方向）に往復移動される。
【００１３】
また、媒体である被捺染物１１を保持する保持部材としての回転体である筒状（中空状）の保持ドラム５を備えている。保持ドラム５は駆動部８によって送り方向（矢印Ｂ方向）に回転される。なお、保持ドラム５を往復回転させて画像を形成することもできる。
【００１４】
そして、被捺染物１１の画像を形成する領域より保持ドラム回転方向で上流側の任意の位置を保持ドラム５に保持可能な第１の保持手段６と、被捺染物１１の画像を形成する領域より保持ドラム回転方向で下流側を保持ドラム５に保持可能な第２の保持手段７とを備えている。
【００１５】
また、この保持ドラム５の外周面に対向して、保持ドラム５に保持される被捺染物１１を押える押さえローラ９を備えている。押さえローラ９はスプリング２１で押さえ方向に付勢されている。また、押さえローラ９は開閉可能な上前カバー１２に保持されている。上前カバー１２を開閉することで、押さえローラ９が被捺染物１１を押える押さえ位置と保持ドラムの周面から離間する離間位置との間で移動可能である。
【００１６】
また、保持ドラム５の外周面に対向して、加熱手段であるヒータ１０を備えている。ヒータ１０は開閉可能な下前カバー１３に保持されている。下前カバー１３を開閉することで、ヒータ１０が被捺染物１１を加熱する加熱位置と保持ドラム５の周面から離間する離間位置との間で移動可能である。
【００１７】
次に、保持ドラムに被捺染物を保持する構成について図３ないし図５も参照して説明する。図３は保持手段による被捺染物の保持構造の説明に供する斜視説明図、図４は同じく分解斜視説明図、図５は同じく保持手段の側面説明図である。
【００１８】
保持ドラム５の外周面には、側面で見て一部を切り欠いた形状とすることで、被捺染物１１を保持した第１の保持手段６を嵌め込んで取付ける取り付け部５１と、被捺染物１１を押さえる第２の保持手段７を嵌め込んで取り付ける取り付け部５２を形成している。
【００１９】
保持ドラム５は、内部に空間５０を有する部材であり、上記取り付け部５１、５２には、保持ドラム５の軸方向に沿って、内外を通じる開口部５３、５４が設けられている。この開口部５３、５４を通じて被捺染物１１の余剰部分１１ａ、１１ｂを内部の空間５０に差し入れて収容することができる。なお、余剰部分１１ａ、１１ｂは、少なくとも被捺染物１１のうちの画像を形成する領域以外の領域の一部である。
【００２０】
第１の保持手段６は、２つに分割されたベース部材６ａと蓋部材６ｂとで構成され、凹凸で嵌め合わせる形状としている。蓋部材６ｂは、保持手段６を保持ドラム５の取り付け部５１に取り付けた状態で、蓋部材６ｂの外周が、保持ドラム５の回転軌跡に沿う形状又は回転軌跡よりも内側（回転中心側）になる形状としている。
【００２１】
第１の保持手段６は、ベース部材６ａと蓋部材６ｂとの間に、被捺染物１１の画像を形成する領域以外の領域の任意の位置を挟むことができ、この状態で保持ドラム５の取り付け部５１に嵌め込むことで、被捺染物１１を第１の保持手段６によって保持ドラム５に保持することができる。つまり、第１の保持手段６は、被捺染物１１の画像を形成する領域より保持ドラム５の回転方向で上流側の任意の位置を保持ドラム５に保持できる。
【００２２】
第２の保持手段７は、蓋部材６ｂとほぼ同じ外形状を有し、保持ドラム５の取り付け部５２に取り付けた状態で、外周が、保持ドラム５の回転軌跡に沿う形状又は回転軌跡よりも内側（回転中心側）になる形状としている。
【００２３】
そして、この第２の保持手段７は、ベース部材６ａと同様な外形状を有する保持ドラム５の取り付け部５２に嵌め込むことで、被捺染物１１を保持ドラム５に保持することができる。
【００２４】
次に、この画像形成装置における媒体の保持手順について図６ないし図１０を参照して説明する。図６ないし図１０は同説明に供する側面説明図である。
【００２５】
まず、前述した図３ないし図５に示すように、被捺染物１１の画像を形成しない領域の上流側（回転方向）の任意の位置を第１の保持手段６で挟んで保持する。一方、図６に示すように、上前カバー１２及び下前カバー１３を開いて、保持ドラム５の取り付け部５１へのアクセスが可能な状態にする。
【００２６】
そして、図７及び図８に示すように、被捺染物１１を保持した第１の保持手段６を保持ドラム５の取り付け部５１に嵌め込んで取付ける。このとき、被捺染物１１の第１の保持手段６で保持している部分よりも上流側の余剰部分１１ａは、保持ドラム５の開口部５３から差し込んで内部の空間５０に収容する。
【００２７】
次いで、図８に示すように、上前カバー１２を閉じることで、押さえローラ９が保持ドラム５の周面に押し付けられて、被捺染物１１を押さえる。この状態のまま保持ドラム５を矢印Ｂ方向に徐々に回転させることで、被捺染物１１は皺を伸ばされながら保持ドラム５の周面に巻きついて行く。
【００２８】
その後、図９及び図１０に示すように、被捺染物１１が保持ドラム５の外周をほぼ一周した状態で、被捺染物１１の後端側の余剰部分１１ｂを取り付け部５２の開口部５４から内部の空間５０に差し入れて収容する。
【００２９】
そして、第２の保持手段７を取り付け部５２に嵌め込んで被捺染物１１の画像を形成する領域の下流側を保持ドラム５に保持する。
【００３０】
次いで、図１０に示すように、下前カバー１３を閉じることで、ヒータ１０が保持ドラム５の周面に対向した位置に移動する。
【００３１】
このようにして、被捺染物１１を保持ドラム５の外周にセット（保持）することで、被捺染物１１の画像を形成する領域は保持ドラム５の外周面に皺がなく伸びが抑えられた状態で密着する。なお、図面上は見易くするために保持ドラム５の周面などと被捺染物１１との間に隙間を設けて図示している。
【００３２】
そして、被捺染物１１の余剰部分１１ａ、１１ｂは保持ドラム５の内部空間５０に収容され、保持手段６、７の表面は保持ドラム５の表面とほぼ同一表面を形成し、凹凸が無くスムーズな面となる。
【００３３】
これにより、保持ドラム５を一方向に回転させながら記録ヘッド２によって液滴を吐出して被捺染物１１に安定して品質の高い画像を形成することができる。このとき、被捺染物１１の表面や第１の保持手段６及び第２の保持手段７の外周面は保持ドラム５の周面に倣っているので、他のローラ等の部品に干渉すること無く、安定して画像を形成することができる。
【００３４】
また、下前カバー１３には、被捺染物１１を加熱するヒータ１０が設けられており、ヒータ１０によって加熱しつつ、押さえローラ９で押さえながら、保持ドラム５を回転させることにより、アイロンを掛けるがごとく皺を伸ばし、浮きを防止することができる。
【００３５】
また、上述したように、被捺染物１１の余剰部分は、内部空間５０内に収容することができる。これにより、被捺染物１１のサイズに合わせて直径の異なる保持ドラムを交換する必要がなく、被捺染物の段取りに時間が掛からず、多品種少量生産を短時間で行うことができる。
【００３６】
また、内部空間５０内に収容する余剰部分１１ａ、１１ｂの量を画像形成位置に合わせて調整することにより、保持ドラムを大きくすることなく被捺染物のどのような位置にでも画像を形成することができ、装置本体のサイズの小型化を図ることができる。
【００３７】
なお、ここでは、媒体である被捺染物を保持する保持部材として回転体を使用する例で説明している、保持部材として被捺染物を載置する載置面を有する載置台を使用する画像形成装置にも本発明は適用することができる。
【００３８】
次に、本発明の第１実施形態について図１１ないし図１３を参照して説明する。図１１は同実施形態の説明に供する説明図、図１２は同じく斜視説明図、図１３はその作用説明に供する斜視説明図である。なお、図１１では保持ドラムの周面を展開した展開図で示している（以下の実施形態における説明図も同様に展開図とする。）。
図１１では保持ドラムを展開図で示している。
【００３９】
本実施形態では、保持部材として保持ドラム５の周面に、被捺染物１１をセットするときの目安となる目安領域２０を示すマーク手段２００が設けられている。なお、「被捺染物をセットするときの」とは、被捺染物を画像形成開始時点の状態にするまでを意味する。
【００４０】
ここで、目安領域２０は、キャリッジ４に搭載された記録ヘッド２などの画像形成手段によって画像を形成する領域（印刷領域）に概ね対応する領域であり、印刷可能領域、最大印刷可能領域などと正確に対応している必要はない。目安領域は、概ね当該領域内に画像が形成されることをユーザーに示すものである。
【００４１】
マーク手段２００は、矩形状に配置された複数の発光部２０１で目安領域２０を示している。
【００４２】
発光部２０１は、保持ドラム５の周面に埋め込まれたＬＥＤや電球などの発光体と、発光体の光を保持ドラム５の外部から確認するための開口とから構成される。
【００４３】
発光部２０１の発光量は、使用が予定される被捺染物１１の材質などに基づいて、被捺染物１１を介して発光部２０１の光を視認できる量とする。被捺染物１１の光透過量に応じて発光部２０１の発光量を変化させる制御を行うこともできる。
【００４４】
なお、図１２における目安領域２０を示す各発光部２０１を結ぶ線は、本明細書において目安領域２０の把握を容易にするための説明上のものであり、保持ドラム５の周面に付記されているものでない。もっとも、各発光部２０１を結ぶ線を保持ドラム５の周面に付記することもできる（以下の実施形態でも同じである。）。
【００４５】
このように構成したので、図１３に示すように被捺染物１１を保持ドラム５の周面（保持面）にセットするとき、マーク手段２００の各発光部２０１を発光させた状態にする。
【００４６】
この状態で、被捺染物１１を保持ドラム５の周面に倣わせると、各発光部２０１の光が被捺染物１１を透過し、ユーザーは被捺染物１１のマーク手段２００に対する相対位置を視認することができる。これにより、保持ドラム５上での画像形成位置に対する被捺染物１１の概略位置を認識できるようになる。
【００４７】
そこで、被捺染物１１の画像を形成したい部分（部位）がマーク手段２００で示される目安領域２０になるように被捺染物１１を保持ドラム５に保持させる。
【００４８】
これにより、被捺染物１１の画像を形成したい部分を保持ドラム５上の印刷領域に合わせて被捺染物１１をセットすることができる。
【００４９】
このように、媒体を保持部材にセットするときに、保持部材上での印刷領域に相当する目安領域を媒体の表面から視認することができるので、媒体のセット時の傾きや印刷領域からのはみ出しを低減することができる。特に、媒体をセットしたときに位置が変わりやすい、搬送方向（矢印Ｂ方向）における印刷開始位置を確認しながら媒体を保持部材にセットすることができる。
【００５０】
これによって、保持部材への媒体のセットを容易に行うことができる。
【００５１】
なお、マーク手段２００の発光部２０１のオン／オフ（点灯／消灯）は、例えば、カバー１２の開閉に連動させることができる。カバー１２を開いたときにマーク手段２００が発光することで、ユーザーに媒体のセット位置を容易に認識させることができる。そして、カバー１２が閉じられたときにマーク手段２００を消灯させる。
【００５２】
次に、本発明の第２実施形態について図１４及び図１５を参照して説明する。図１４は同実施形態の説明に供する説明図、図１５は同じく作用説明に供する説明図である。
【００５３】
本実施形態では、マーク手段２００は、目安領域２０を示す矩形状に配置した複数の発光部２０１からなる発光部群２０２Ａと、目安領域２０の中心位置を示す十字線状に配置した複数の発光部２０１からなる発光部群２０２Ｂとで構成されている。発光部群２０２Ｂで中心マーク手段を構成している。
【００５４】
この場合、目安領域２０の中心位置に発光部２０１ａを配置するために、発光部群２０２Ｂの縦及び横に配置する発光部２０１の個数は奇数個とすることが好ましい。
【００５５】
このように構成したので、図１５に示すように、前記第１実施形態と同様に、被捺染物１１を保持ドラム５の周面にセットするとき、マーク手段２００のすべての発光部２０１を発光させることで、被捺染物１１側からマーク手段２００を視認することができる。
【００５６】
この場合、被捺染物１１がシャツなどのように左右対称の外形状を有する媒体であるときには、特に搬送方向と直交する矢印Ａ方向（主走査方向）については、中心位置を目安に、セット位置を調整する方が容易である。
【００５７】
したがって、十字線状に配置された中心マーク手段としての発光部群２０２Ｂを有することで、セット位置の調整が容易になる。
【００５８】
また、発光部群２０１Ｂの中心発光部２０１ａによって搬送方向（矢印Ｂ方向）の中心位置も示されているので、印刷する予定の画像と被捺染物１１との配置関係も把握し易くなる。
【００５９】
さらに、図１６に示すように、印刷画像データや印刷を指示するパーソナルコンピュータなどの画面上に、印刷画像のプレビュー画像３００と、保持ドラム上の発光部２０１に対応する形状の印刷領域及び中心位置を示した線３０２Ａ、３０２Ｂを表示する。
【００６０】
これにより、媒体のセット位置をより一層容易に把握できるようになる。
【００６１】
次に、本発明の第３実施形態について図１７を参照して説明する。図１７は同実施形態の説明に供する説明図である。
【００６２】
本実施形態では、サイズの異なる目安領域２０Ｓ、２０Ｍ、２０Ｌを示す発光部２０１が矩形状に配置された３つの発光部群２０２Ｓ，２０２Ｍ，２０２Ｌを備えている。
【００６３】
すなわち、被捺染物１１が例えばシャツなどである場合、サイズ違いや形状の違いによって、印刷画像は同じでも、画像の大きさを変えることがある。
【００６４】
そこで、使用する被捺染物１１のサイズに応じて、点灯させる発光部群２０２Ｓ，２０２Ｍ，２０２Ｌを変えるようにすることで、サイズに応じたセットの目安領域２０Ｓ、２０Ｍ、２０Ｌを示すことができ、セット性が更に向上する。
【００６５】
ここで、本実施形態における点灯制御に係わる制御部の概要について図１８のブロック図及び図１９の説明図を参照して説明する。
【００６６】
この制御部は、主制御部３０１と、ヘッド駆動制御部３０２、主走査駆動部３０３、ドラム駆動部３０５、点灯制御部３１０、記憶部３１１、操作部３２０などとを備えている。
【００６７】
主制御部３０１は、ＣＰＵ，ＲＯＭ及びＲＡＭ、Ｉ／Ｏなどのマイクロコンピュータ、ＶＲＡＭ、ＡＳＩＣ（特定用途集積回路）などで構成される。
【００６８】
主制御部３０１には、ホスト４００のプリンタドライバ４０１側から与えられる印刷情報（画像データ）、媒体サイズ（被捺染物サイズ）情報、画像形成モード情報などの各種情報が入力される。
【００６９】
主制御部３０１は、印刷情報に応じた画像を被捺染物上に形成するため、ドラム駆動部３０５を介してモータ３０６を駆動制御し、保持ドラム５を間欠的に回転させる。また、主制御部３０１は、主走査駆動部３０３を介して主走査モータ３０４を駆動制御して、キャリッジ４を主走査方向（矢印Ａ方向）に移動走査させる。そして、ヘッド駆動制御部３０２を介して記録ヘッド２を駆動制御して、記録ヘッド２から所要の液体を吐出させ、画像を形成する。
【００７０】
点灯制御部３１０は、発光部群２０２Ｓ、２０２Ｍ、２０２Ｌを構成する各発光体２０１の情報を保持し、主制御部３０１から点灯を指示された発光体部群を構成する発光体２０１を点灯させる制御をする。
【００７１】
記憶部３１１には、図１９にも示すように、媒体サイズ、目安領域、発光部群を対応付けたテーブルが格納保持されている。なお、媒体サイズと発光部群（点灯させる発光部）の対応付けだけでもよい。
【００７２】
主制御部３０１は、ホスト４００側から受領した媒体サイズ情報、或いは、操作部３２０から受領した媒体サイズ情報に基づいて、記憶部３１１に格納されたテーブルから、媒体サイズに対応させて発光部群２０２Ｓ、２０２Ｍ、２０２Ｌの内の点灯させる発光体群を指示する情報を点灯制御部２１０に与える。
【００７３】
そこで、点灯制御部３１０は、指定された発光部群２０２Ｓ、２０２Ｍ、２０２Ｌの肯定する発光体２０１を点灯させる。
【００７４】
次に、本発明の第４実施形態について図２０を参照して説明する。図２０は同実施形態の説明図である。
【００７５】
本実施形態では、複数の発光部２０１がマトリクス状に配置されている。ここでは前記第３実施形態と同様に、中心位置の発光部２０１ａを中心として３つの矩形状をなすように配置しているが、これに限定されない。このマトリクス配置において、最も大きな矩形を外枠２１０Ａとし、中心位置の発光部２０１ａを通過して互い直交する線を中心線２１０Ｂ１、２１０Ｂ２とする。
【００７６】
次に、本実施形態の制御部について図２１のブロック説明図を参照して説明する。
【００７７】
この制御部は、主制御部５０１と、ヘッド駆動制御部５０２、主走査駆動部５０３、ドラム駆動部５０５、目安領域設定部５０９、点灯制御部５１０、操作部５２０などとを備えている。
【００７８】
主制御部５０１は、ＣＰＵ，ＲＯＭ及びＲＡＭ、Ｉ／Ｏなどのマイクロコンピュータ、ＶＲＡＭ、ＡＳＩＣ（特定用途集積回路）などで構成される。
【００７９】
主制御部５０１には、ホスト４００のプリンタドライバ４０１側から与えられる印刷情報（画像データ）、画像を印字する位置を示す印刷位置データ、画像の大きさを示す印刷領域サイズデータなどの各種情報が入力される。
【００８０】
主制御部５０１は、印刷情報に応じた画像を被捺染物上に形成するため、ドラム駆動部５０５を介してモータ５０６を駆動制御し、保持ドラム５を間欠的に回転させる。また、主制御部５０１は、主走査駆動部５０３を介して主走査モータ５０４を駆動制御して、キャリッジ４を主走査方向（矢印Ａ方向）に移動走査させる。そして、ヘッド駆動制御部５０２を介して記録ヘッド２を駆動制御して、記録ヘッド２から所要の液体を吐出させ、画像を形成する。
【００８１】
目安領域設定部５０９は、印刷位置データと印刷領域サイズデータに基づいて保持ドラム５上に配置されている複数の発光部２０１の内の点灯させる発光部２０１を指定するデータを点灯制御部５１０に与える。
【００８２】
点灯制御部５１０は、目安領域設定部５０９から指定された発光部２０１を点灯させる制御をする。
【００８３】
次に、本実施形態の作用について図２２を参照して説明する。図２２は同作用説明に供する説明図である。なお、図２２（ａ）はホスト側のプレビュー画面、（ｂ）は保持ドラムの一部を展開した説明図、（ｃ）は保持ドラムに被捺染物をセットした状態の説明図である。
【００８４】
まず、図２２（ａ）に示すように、ホスト（外部情報処理装置）４００の画面上に、プレビュー画面として、中心位置の発光部２０１ａに対応する中心点４１１と、外枠２１０Ａに対応する枠線４１０Ａ、中心線２１０Ｂ、２１０Ｃに対応する中心線４１０Ｂ、４１０Ｃが表示される。
【００８５】
そこで、ユーザーがプレビュー画面で画像を印刷する位置と印刷領域サイズを設定して印刷指示を行うことで、画像データと印刷位置データと印刷領域サイズデータを含む印刷指示命令がホスト４００から主制御部５０１に送られる。
【００８６】
ここで、印刷位置データは、例えば、中心点４１１（中心位置の発光部２０１ａ）と中心線４１０Ｂ、４１０Ｃ（２１０Ｂ、２０１Ｃ）を基準にした座標平面での第１象限、第２象限、第３象限、第４象限のいずれかに対応するデータとする。
【００８７】
また、印刷領域サイズデータは、画像を印字するために必要な領域のサイズに関するデータである。
【００８８】
画像形成装置の主制御部５０１はホスト側から受領した印刷位置データと印刷領域サイズデータを目安領域設定部５０９に与える。目安領域設定部５０９は、印刷位置データと印刷領域サイズデータから、保持ドラム５上で目安領域を示すために点灯させる複数の発光部２０１を選択して、点灯させる発光部２０１を指定するデータを点灯制御部５１０に与える。
【００８９】
そこで、点灯制御部５１０は、目安領域設定部５０９で選択した複数の発光部２０１を点灯させることで目安領域２２０を示す（表示する）制御を行う。
【００９０】
これにより、例えば図２２（ａ）に示すように印刷画像３００の印刷位置データと印刷領域サイズデータが与えられると、図２２（ｂ）に示すように保持ドラム５上の複数の発光部２０１が点灯する（点灯を黒丸で、消灯を白丸で図示している。）ことで目安領域２２０が表示される。この保持ドラム５に被捺染物１１をセットすると、図２２（ｃ）に示すように、被捺染物１１上から点灯している発光部２０１を視認することができる。
【００９１】
このように、印刷位置やサイズに応じて目安領域を示す発光部を選択的に点灯させることで、保持部材の媒体のセット性が向上する。
【００９２】
なお、この第４実施形態を前記第３実施形態と組み合わせて、第３実施形態のように複数のサイズに応じたセットの目安領域２０Ｓ、２０Ｍ、２０Ｌを示すように発光部２０１を配置したうえで、その一部の発光部２０１を任意に選択発光させることもできる。
【００９３】
以上の実施形態では、印刷指示によって媒体のセット前にマーク手段２００などによって目安領域を示すようにしているが、媒体を保持ドラム５にセットした後に、画像形成装置に取り付けられた操作部などでユーザーが目安領域を選ぶことができるようにすれば、印刷指示のやりや押しや、媒体のセットのやり直しを防ぐことができる。
【００９４】
次に、本発明の第５実施形態について図２３及び図２４を参照して説明する。図２３は同実施形態の説明に供する説明図、図２４は同じく媒体をセットしたときの要部拡大説明図である。
【００９５】
本実施形態では、前記第２実施形態の構成において、図２３（ｂ）の拡大図に示すように、目安領域の中心位置から搬送方向におけるずれ量を示す目盛り線２１１及びずれ量に相当する数値２１２（これらを合わせて「調整量指標」という。）を付記している。
【００９６】
これにより、図２４に示すように、ユーザーは被捺染物１１を保持ドラム５にセットした後、操作部などから目盛り線２１１の数値を入力することによって、装置側で画像形成位置を調整するように構成できる。
【００９７】
なお、目盛り線２１１及び数値２１１は、図２４に示すように、被捺染物１１を保持ドラム５にセットした状態でも目視できる位置に設けることが好ましい。
【００９８】
このように、媒体を保持ドラムにセットした後に、印刷位置を見ながら調整することができるので、媒体を保持ドラムに再セットする手間を省くことができる。
【００９９】
なお、本実施形態は、搬送方向の目盛り線を設けている例であるが、搬送方向と直交する方向（矢印Ｂ方向）や傾きについても視認できる目盛り線を設けることができる。
【０１００】
次に、本発明の第６実施形態について図２５を参照して説明する。図２５は同実施形態におけるマーク手段の説明に供する説明図である。
【０１０１】
本実施形態では、媒体をセットする保持面１０５ａが平面となった保持部材１０５を備えている。
【０１０２】
保持部材１０５には、媒体をセットするときの目安領域を示すマーク手段として、各実施形態で説明したような発光部２０１の配置位置に相当する位置に貫通穴からなる開口２２１が形成されている。
【０１０３】
そして、保持部材１０５の保持面１０５ａと反対側に開口２２１に入射する光を発生する発光手段２２２を配置している。ここでは、発光手段２２２を点灯することによってすべての開口２２１に光が入射するようにしている。
【０１０４】
このように構成したので、発光手段２２２をＯＮ状態にして点灯することで、開口２２１を光が通過して開口２２１が点灯したと同様の状態になる。
【０１０５】
これにより、前記各実施形態と同様に、媒体のセットが容易になる。
【０１０６】
次に、本発明の第７実施形態について図２６を参照して説明する。図２６は同実施形態におけるマーク手段の説明に供する説明図である。
【０１０７】
本実施形態は、前記第６実施形態において、保持部材１０５の媒体をセットする面である保持面１０５ａには、光を透過可能なフィルム部材２２４を貼り付けて、開口２２１の保持面側を塞いでいる。
【０１０８】
これにより、開口によって媒体の平面性が損なわれることがなくなる。
【０１０９】
なお、上記第６実施形態、第７実施形態のマーク手段を、前記第３実施形態に適用する場合には、マーク手段２０２Ｓ、２０２Ｍ、２０２Ｌそれぞれに対応するマーク手段を有する構成としても良い。つまり、マーク手段２０２Ｓの発光部群に対応する複数の開口２２１と各開口２２１に共通の発光手段２２２とで構成されるマーク手段Ｓ、マーク手段２０２Ｍの発光部群に対応する複数の開口２２１と各開口２２１に共通の発光手段２２２とで構成されるマーク手段Ｍ、マーク手段２０２Ｌの発光部群に対応する複数の開口２２１と各開口２２１に共通の発光手段２２２とで構成されるマーク手段Ｌを有する構成とすればよい。
【０１１０】
次に、本発明の第８実施形態について図２７を参照して説明する。図２７は同実施形態におけるマーク手段の説明に供する説明図である。
【０１１１】
本実施形態においては、発光手段２２５で発する光をファイバ２２６によって開口２２１に導くようにしている。
【０１１２】
このようにすれば、発光手段を複数に分けることで、光を発する開口２２１を選択することができ、例えば前記第３実施形態のような構成も実現できる。
【０１１３】
上記の各実施形態においては、媒体が被捺染物である例で説明しているが、これに限らず、保持部材に保持できる媒体であれば、シート用紙などでも適用することができ、媒体が限定されるものではない。
【符号の説明】
【０１１４】
２  記録ヘッド
５  保持ドラム（保持手段、回転体）
６  第１の保持手段
７  第２の保持手段
１１  被捺染物（媒体）
２０  目安領域
１０５  保持部材
２００  マーク手段
２０１  発光部
２０１Ａ  発光部群
２０１Ｂ  発光部群（中心マーク手段）
２２１  開口
２２２  発光手段
【図１】
2016107474.tif 000003
【図２】
2016107474.tif 000004
【図３】
2016107474.tif 000005
【図４】
2016107474.tif 000006
【図５】
2016107474.tif 000007
【図６】
2016107474.tif 000008
【図７】
2016107474.tif 000009
【図８】
2016107474.tif 000010
【図９】
2016107474.tif 000011
【図１０】
2016107474.tif 000012
【図１１】
2016107474.tif 000013
【図１２】
2016107474.tif 000014
【図１３】
2016107474.tif 000015
【図１４】
2016107474.tif 000016
【図１５】
2016107474.tif 000017
【図１６】
2016107474.tif 000018
【図１７】
2016107474.tif 000019
【図１８】
2016107474.tif 000020
【図１９】
2016107474.tif 000021
【図２０】
2016107474.tif 000022
【図２１】
2016107474.tif 000023
【図２２】
2016107474.tif 000024
【図２３】
2016107474.tif 000025
【図２４】
2016107474.tif 000026
【図２５】
2016107474.tif 000027
【図２６】
2016107474.tif 000028
【図２７】
2016107474.tif 000029